【事件の表示】
　特許第２８０７７３２号「パチンコ遊技管理装置」の請求項１に係る特許に対する特許異議の申立てについて、次のとおり決定する。
【結　論】
　特許第２８０７７３２号の請求項１に係る特許を取り消す。
【理　由】
１．手続の経緯
　本件の特許第２８０７７３２号の請求項１に係る発明（以下、「本件発明」という。）についての出願は、昭和６３年８月９日に出願され、平成１０年７月３１日にその設定登録され、その後、特許異議の申立がなされ、取消理由通知がなされ、その指定期間内である平成１１年３月１２日に訂正請求がなされ、これに対し、訂正拒絶理由通知がなされ、その期間内である平成１２年２月８日に平成１１年３月１２日付けの訂正請求について訂正請求取下書を提出するとともに、新たに訂正請求がなされ、その後、平成１２年２月８日付けの訂正請求は、特許法第１２０条の６第１項によって準用する特許法第１３３条の２第１項の規定に基づく手続却下の決定により却下されたものである。
２．本件発明
　本件発明は、願書に添付した明細書及び図面（以下、「特許明細書」という。）の記載からみて、その特許請求の範囲の請求項１に記載された次のとおりのものである。
「パチンコ機と、硬貨の投入および紙幣の投入によりパチンコ玉を対応するパチンコ機の玉受け皿に直接供給する玉貸機とが1対1で設けられ、これらの対が列をなして島を構成し、この島における各玉貸機からの情報を売上情報として管理する中央コンピュータを備え、前記玉貸機に対して投入された硬貨または紙幣が正規の貨幣である場合、当該貨幣は島内に設けられた貨幣搬送装置により取り込まれて、島の端部に設けられた貨幣収納装置に搬送され、前記玉貸機は貸玉金額に応じたパチンコ玉を対応するパチンコ機の玉受け皿に供給し、前記玉貸機に対して投入された硬貨または紙幣が正規の貨幣でない場合には、当該貨幣は返却され、島のパチンコ玉供給設備からパチンコ玉が前記玉貸機へ供給されず、パチンコ玉センサによってパチンコ玉があることが検知されない場合には、前記貨幣の返却が行われるように構成し、前記各玉貸機は前記貨幣搬送装置への貨幣の取り込みを売上金額信号として中央コンピュータに出力するように構成した、ことを特徴とするパチンコ遊技管理装置。」
　なお、上記したように、平成１１年３月１２日付けの訂正請求は取下げられ、また平成１２年２月８日付けの訂正請求は手続却下の決定により却下された。
３．引用刊行物に記載の事項
　先の取消理由通知において引用した本件出願前に頒布された刊行物１乃至刊行物４には、それぞれ、次の事項が記載されている。
（１）刊行物１：特開昭５９−１８９８８３号公報　
　刊行物１には、薄型玉貸機の管理システムに関し、図面とともに、
「図において、この実施例の薄形玉貸機１０は、前面パネル１１を含む。前面パネル１１には、玉切れ表示ランプ１２，硬貨投入口１３，貸玉数選択手段の一例の選択スイッチ群１４，硬貨返却口１５，貸玉放出口１６，釣銭放出口１７および返却ボタン１８が設けられる。選択スイッチ群１４は、・・・複数の選択スイッチ１４１〜１４５を含む。この選択スイッチ１４１〜１４５は、・・・投入した金額に対応するものが点灯表示される。これによって、選択スイッチ１４１〜１４５は、投入金額の表示すなわち貸出可能な玉数（何百円分の玉数）と、遊技者の希望の貸出玉数の選択に使用される。」（第３頁右下欄５行〜第４頁左上欄３行）こと、
「硬貨返却口１５は、不良硬貨を返却するものである。貸玉放出口１６は、従来の薄形玉貸機と同様にして、手で昇降部１６ａを押し上げたとき、玉が放出されるものである。返却ボタン１８は、投入した硬貨を返却させたいとき操作される。」（第４頁左上欄１４行〜１８行）こと、
「前述のような薄形玉貸機１０は、島台１の上に複数台並べられたパチンコ機Ｐの間に設置される。なお、第１８図では、１台のパチンコ機Ｐごとに１台の薄形玉貸機１０を設置した場合を示す・・・。このように、複数台のパチンコ機Ｐおよび薄形玉貸機１０を長手方向に並べて設置することによって、島が構成される。パチンコ遊技場においては、このような島が複数設けられ、必要に応じて複数のパチンコ機Ｐ及び玉貸機が背中合わせで２列に並べて設置されて島を構成する場合もある。」（第４頁左上欄１９行〜同頁右上欄１１行）こと、
「そして、パチンコ機Ｐおよび薄形玉貸機１０の裏面であって島台１に関連する部分には、各薄形玉貸機１０へ投入された第１の金額（たとえば１００円）の硬貨（以下１００円硬貨）および第２の金額（たとえば５００円）の硬貨（以下５００円硬貨）を集合させて回収するために、集合回収通路２が島台１の長手方向に沿って形成される。集合回収通路２の一方側端には、回収硬貨貯留装置５０が設けられる。」（第４頁右上欄１２〜２０行）こと、
「貸玉放出口１６の裏面には、玉貯留部１６ｂ設けられる。この玉貯留部１６ｂの上部には、貸玉放出機構２５が設けられる。貸玉放出機構２５は、玉導入通路２５１を含む。玉導入通路２５１の上端部は、パチンコ機Ｐへ賞品玉補給する補給通路に連結される。」（第５頁右上欄８〜１３行）こと、
「なお、玉切れを検出して動作を停止させる目的で、玉導入通路２５１の一部には玉切れ検出スイッチ２５ａが設けられる。この玉切れ検出スイッチ２５ａの出力は、玉切れ表示ランプ１２を表示させるとともに、硬貨の投入にかかわらず貸玉放出動作を禁止指令するための信号として利用される。」（第５頁右下欄８〜１２行）こと、
「コインセレクタ３０は、ボックス３１を含む。ボックス３１の内部の上部部分には、円弧状の誘導レール３２１が固着される。・・・誘導レール３２１よりもやや上部の壁面には、複数種類の検出器３４ａ〜３４ｃが設けられる。ここで、検出器３４ａは、投入された硬貨（図示ではＣＮで示す）の材質を検出するものであって、たとえば硬貨に含まれる金属材料の含有量の違いによって発振状態を変化するものなどが用いられる。検出器３４ｂは、硬貨の厚さを検出するものであって、所定の厚さか否かの検出を行なう。検出器３４ｃは、硬貨の直径を検出するものである。これらの検出器３４ａ〜３４ｃの検出出力の組合せによって、投入された硬貨の種類およびその硬貨の真偽判別が行なわれる。」（第６頁左上欄４行〜同頁右上欄１行）こと、
「そして、検出器３４ａ〜３４ｃの検出出力に基づいて不良硬貨であることが判断されたとき、ソレノイド４２１が付勢されて、２点鎖線で示すように切換弁４２３が開口部４１５から通路４１内へ押し出される。このため、不良コインは切換弁４２３に当って開口部４１４から外へ取出され、不良硬貨回収通路３５１を介して硬貨返却口１５へもたらされる。」（第６頁右上欄２０行〜同頁左下欄８行）こと
「第５図は回収手段に含まれる硬貨回収通路と回収硬貨貯留装置の詳細である。第１Ｂ図に示される集合回収装置２は、位相手段の一例のベルトコンベヤ２ａ周囲部分をダクト２ｂで覆って構成される。」（第６頁右下欄１４〜１８行）こと、
「出力ベルトコンベヤ２ａの移送方向終端には回収硬貨貯留装置５０が設けられる。回収硬貨貯留装置５０は、カバー５１内に硬貨選別通路５２を含む。」（第７頁左上欄１０〜１３行）こと、
「第７図はこの発明の一実施例の薄形玉貸機システムのブロック図である。薄形玉貸機１０に関連して、玉貸処理装置の一例のマイクロプロセッサ７０が設けられる。マイクロプロセッサ７０は、中央処理装置（以下ＣＰＵ）７１を含む。」（第７頁右下欄１１〜１５行）こと、
「ＣＰＵ７１には、プログラム記録用メモリ（ＲＯＭ）７３、データ記憶用メモリ（ＲＡＭ）７４および伝送制御回路７５が接続される。・・・ＲＡＭ７４は、貸玉データを記憶する記憶エリア７４ａ、釣銭データを記憶する記憶エリア７４ｂおよび硬貨データを記憶する記憶エリア７４ｃを含む。」（第８頁左上欄１５行〜同頁右上欄２行）こと、
「第８Ａ図〜第８Ｃ図はこの発明の薄形玉貸機の管理システムに含まれる管理装置の詳細図であり、・・・
　第８Ａ図において、管理装置８０は、入出力インタフェース８１を含む。入出力インタフェイス８１には、伝送制御回路８２が接続される。この伝送制御回路８２には、各薄形玉貸機（その第番号＃１〜＃Ｒ）に含まれる伝送制御回路７５が接続される。」（第１２頁左上欄５〜１６行）こと、
「入出力インタフェイス８１には、中央処理装置（ＣＰＵ）が接続される。・・・このＣＰＵ８３には、プログラム記憶用メモリ（ＲＯＭ）８４およびデータ記憶用メモリ（ＲＡＭ）８５が接続される。」（第１２頁右上欄１〜９行）こと、
「第８Ｂ図において、ＲＡＭ８５は、複数の各種の記憶領域８５ａ〜８５ｅおよび８５ｓを含む。ここで、記憶領域８５ａ，８５ｂ，８５ｃ，８５ｄおよび８５ｅは、それぞれ各薄形玉貸機の台番号に対応する記憶エリアを含む。記憶領域は８５ａは、投入金額（Ａ）を記憶するための投入金額記憶領域として用いられる。記憶領域８５ｂは、放出釣銭額（Ｂ）を記憶するための放出釣銭額記憶領域として用いられる。・・・記憶領域８５ｅは、売上額（Ｅ）を記憶するための売上記憶領域として用いられる。」（第１２頁右上欄１３行〜同頁左下欄７行）こと、
「なお、必要に応じて、島単位各種データ（投入金額、放出釣銭額、補給釣銭額、回収金額、売上額など）を累積的に記憶するためのエリア８５ｆおよびすべての薄形玉貸機の各種データを記憶するエリア８５ｇなどを設けてもよい。」（第１２頁左下欄１５〜１９行）こと、
「ＣＰＵ８３は、一定時間（たとえば３０分または１時間など）ごとに各玉貸機１０のＲＡＭ７４の記憶内容を収集指令するためのタイミング信号を発生するタイマを含む。」（第１３頁左下欄４〜７行）こと、
「ステップ１３３〜１３６において演算処理が行われる。すなわち、ステップ１３３において各薄形玉貸機１０の売上額の演算が行われる。すなわち、各薄形玉貸機１０の売上額（ＥＮ）の演算は、投入金額（ＡＮ）から放出釣銭額（ＢＮ）のを減産することによって求められる。この演算結果が記憶領域８５ｅのうち今回演算した薄形玉貸機１０の対応するエリアに書き込まれる。そして各台番号毎に、売上額の演算処理が行われる。
　ステップ１３４において、島別の投入金額、放出釣銭額、補給釣銭額および売上額の累計が行われる。・・・ステップ１３６において、すべての薄形玉貸機１０の投入金額、放出釣銭額、補給釣銭額及び売上額の合計演算が行われる。」（第１５頁右下欄８行〜第１６頁左上欄５行）こと、
が記載されている。
（２）刊行物２：実願昭５９−２０３６８号（実開昭６０−１３２７８５号）のマイクロフィルム
　刊行物２には、玉貸機におけるパチンコ玉供給装置に関し、図面とともに、
「１　パチンコ機に隣接して設置されると共にコンイ投入口に投入されたコインに対応した数のパチンコ球を外部に供給する球貸機において、該球貸機の貸球供給口からのパチンコ球が前記パチンコ機の球受皿に直接供給されるように前記球貸機の貸球供給口を前記パチンコ機の球受皿に連設することを特徴とする球貸機におけるパチンコ球供給装置。」（実用新案登録請求の範囲）であること、
「パチンコ機１，この場合、正面に遊技盤２と・・・賞球供給樋５を通って供給される賞球を貯留する下側玉受皿６とのそれぞれを備えた公知のパチンコ機１間には・・・玉貸機９が設置され、該球貸機９のコイン投入口７に特定コインを投入した状態において、パチンコ機１の上部に備えられた貸球貯溜器１０からのパチンコ球が公知のカウンタ装置１１を通って特定コインに対応した数だけ、前記賞球供給樋５の下端部に連設された貸球誘導パイプ１２を経て前記下側球受皿６に供給される。」（第４頁４〜１６行）こと、
が記載されている。
（３）刊行物３：特開昭６２−２１３７８１号公報
　刊行物３には、パチンコ台設備に関し、図面とともに、
「第１図および第２図において、パチンコ遊戯場内の平行する通路間には、２列に配列された複数のパチンコ台１ａ，１ａ・・・とからなるパチンコ台群１，１と、パチンコ台群１，１内に挟まれて配置された複数のパチンコ玉貸機２，２・・・とからなるパチンコ台設備が設置されている。」（第２頁右上欄８〜１３行）こと、
「第３図ないし第５図を参照して、金銭投入玉出し部２ａのケース３のパネル面には、千円札が使用可能であることを示すランプ６、縦方向（鉛直方向）に沿って形成された千円札投入口７、１００円玉投入口８、１００円玉返却ボタン９、パチンコ玉の貸出しが可能であることを示すランプ１０、１００円から５００円分の選択ボタン１１、玉出し口１２、および釣銭返却口１３が設けられている。ケース３の内部には、千円札投入口７から投入された紙幣を引き込んで識別検査を行う紙幣識別装置１５、１００円玉投入口８から投入されたコインを正常な１００円玉と不良コインとに選別するコインセレクター１６、正常な１００円玉を釣銭払出機１７のホッパー１８まで案内する釣銭案内路１９、釣銭案内路１９から分岐するコイン回収路２０、および不良コインを釣銭返却口１３まで案内する返却路２１が設けられ、返却路２１には釣銭払出機１７の払出し口からの釣銭払出路２２が合流している。」（第２頁右上欄１９行〜同頁左下欄１６行）
「コインの投入を阻止するレバー３１は、通常はソレノイド３２の吸引作動により交軸３０を介して上方へ引き抜かれており、コインは投入可能であって、パチンコ玉の玉切れやその他の異常の場合にソレノイド３２がオフしてコインの投入が阻止される。コイン詰まり解消機構３３は１００円玉返却ボタン９によって詰まったコインを返却するように作動する。」（第２頁右下欄４〜１１行）こと、
が記載されている。
（４）刊行物４：実願昭６０−１０５４５８号（実開昭６２−１４５７１号）のマイクロフィルム
　刊行物４には、自動販売機の釣銭管理装置に関し、図面とともに、
「コインの投入により、商品収納筒の最下部に位置している商品の取出しを行うことができる商品販売機において、前記商品収納筒の下方に、商品の有無に応じて変位して、突起をコイン選別機の返金穴内に出し入れする商品検知部材を設け、商品収納筒内に商品が存在しない場合には、投入されたコインをそのまま返却するようにしたことを特徴とする返金装置。」（実用新案登録請求の範囲）であること、
「商品収納筒１４内に商品が入っている場合には、・・・返金レバー２９の先端２９ａがコイン選別器から退避している。この状態でコインが正規のものであれば、前金制御機構２３へ送られる。商品収納筒１４内に商品がなくなった場合には、返金レバー２９の先端２９ａがコイン選別器１８内に入り込んでいるから、投入されたコインが正規のものであっても、正規でないコインと同様に商品取出し口１１へ返却される。」（第７頁１４行〜第８頁４行）こと、
が記載されている。
５．対比
　上記刊行物１には、
（イ）第３頁右下欄５行〜第４頁左上欄３行及び第４頁左上欄１９行〜同頁右上欄１１行の記載からみて、「パチンコ機Ｐと、硬貨の投入により貸玉を供給する薄形玉貸機１０とが１対１で設けられ、これらの対が列をなして島を構成している」こと、
（ロ）第７頁右下欄１１〜１５行、第８頁左上欄１５行〜同頁右上欄２行、第１２頁左上欄５〜１６行、第１２頁右上欄１〜９行、第１２頁右上欄１３〜同頁左下欄７行、第１２頁左下欄１５〜１９行、第１３頁左下欄４〜７行及び第１５頁右下欄８〜第１６頁左上欄５行の記載からみて、各薄形玉貸機１０は、貸玉データ、釣銭データ、硬貨データ等を記憶するＲＡＭ７４を備え、このＲＡＭ７４に記憶されたデータは、管理装置８０の中央処理装置（ＣＰＵ）８３に伝送され、中央処理装置（ＣＰＵ）８３は、各薄形玉貸機１０毎の売上額、島別の売上額及びすべての薄形玉貸機１０の売上額を演算し、管理するものであるから、「島における各薄形玉貸機１０からの貸玉データ、釣銭データ、硬貨データ等を各薄形玉貸機毎の売上データ、島毎の売上データ及び全体の売上データとして管理する中央処理装置（ＣＰＵ）８３を備え、かつ各薄形玉貸機１０は硬貨移送装置２への硬貨の取り込みを硬貨データとして、貸玉データ、釣銭データ等とともに中央処理装置８３に出力するようにした」こと、
（ハ）第４頁右上欄１２〜２０行、第６頁左上欄４行〜同頁右上欄１行、第６頁右上欄２０行〜同頁左下欄８行、第６頁右下欄１４〜１８行及び第７頁左上欄１０〜１３行の記載からみて、「薄形玉貸機１０に対して投入された硬貨が不良硬貨でない場合、硬貨は島内に設けられたベルトコンベヤ２ａから構成される集合回収通路２にもたらされて、島の端部に設けられた回収硬貨貯留装置５０に搬送され、薄形玉貸機１０は玉貸金額に応じた貸玉を放出し、薄形玉貸機１０に対して投入された硬貨が不良硬貨の場合、硬貨は返却される」こと、
（ニ）第４頁左上欄１４行〜１８行及び第５頁右下欄８〜１２行の記載からみて、「パチンコ機Ｐへ賞品玉を補給するための補給通路から貸玉が供給されず、玉切れ検出スイッチ２５ａが玉切れを検出した場合には、玉切れ表示ランプを表示するとともに硬貨の投入にかかわらず貸玉放出動作を禁止し、返却ボタン１８により投入した硬貨を返却するように構成した」こと、
が記載されているといえるから、刊行物１には、
「パチンコ機Ｐと、硬貨の投入により貸玉を供給する薄形玉貸機１０とが１対１で設けられ、これらの対が列をなして島を構成し、この島における各薄形玉貸機１０からの貸玉データ、釣銭データ、硬貨データ等を各薄形玉貸機毎の売上データ、島毎の売上データ及び全体の売上データとして管理する中央処理装置（ＣＰＵ）８３を備え、薄形玉貸機１０に対して投入された硬貨が不良硬貨でない場合、硬貨は島内に設けられたベルトコンベヤ２ａから構成される集合回収通路２にもたらされて、島の端部に設けられた回収硬貨貯留装置５０に搬送され、薄形玉貸機１０は玉貸金額に応じた貸玉を放出し、薄形玉貸機１０に対して投入された硬貨が不良硬貨の場合、硬貨は返却され、パチンコ機Ｐへ賞品玉を補給するための補給通路から貸玉が供給されず、玉切れ検出スイッチ２５ａが玉切れを検出した場合には、玉切れ表示ランプを表示するとともに硬貨の投入にかかわらず貸玉放出動作を禁止し、返却ボタン１８により投入した硬貨を返却するように構成し、各薄形玉貸機１０は硬貨移送装置２への硬貨の取り込みを硬貨データとして、貸玉データ、釣銭データ等とともに中央処理装置８３に出力するようにした薄形玉貸機の管理システム」に相当する発明が記載されている。
　そこで、本件発明と刊行物１に記載された発明を対比すると、刊行物１に記載された発明の「薄形玉貸機１０」、「貸玉」、「島における各薄形玉貸機１０からの貸玉データ、釣銭データ、硬貨データを各薄形玉貸機毎の売上データ、島毎の売上データ及び全体の売上データとして管理する中央処理装置（ＣＰＵ）８３」、「薄形玉貸機１０に対して投入された硬貨が不良硬貨でない場合」、「ベルトコンベヤ２ａから構成される集合回収通路２」、「回収硬貨貯留装置５０」、「薄形玉貸機１０に対して投入された硬貨が不良硬貨の場合」、「パチンコ機Ｐへ賞品玉を補給するための補給路」、「玉切れ検出スイッチ２５ａ」、「薄形玉貸機の管理システム」は、それぞれ、本件発明の「玉貸機」、「パチンコ玉」、「島における各玉貸機からの情報を売上情報として管理する中央コンピュータ」、「玉貸機に対して投入された硬貨が正規の貨幣である場合」、「貨幣搬送装置」、「貨幣収納装置」、「玉貸機に対して投入された硬貨が正規の貨幣でない場合」、「パチンコ玉供給設備」、「パチンコ玉センサ」、「パチンコ遊技管理装置」に相当し、また、刊行物１に記載された薄形玉貸機１０から中央処理装置（ＣＰＵ）８３に出力される「貸玉データ」は、「釣銭データ」、「硬貨データ」等とともに、売上額を算出するためのものであるから、刊行物１に記載された各薄形玉貸機１０は、硬貨移送装置２への硬貨の取り込みを売上金額信号として中央処理装置（ＣＰＵ）８３に出力しているといえるから、両者は、
「パチンコ機と、硬貨の投入によりパチンコ玉を供給する玉貸機とが１対１で設けられ、これらの対が列をなして島を構成し、この島における玉貸機からの情報を売上情報として管理する中央コンピュータを備え、玉貸機１０に対して投入された硬貨が正規の硬貨である場合、硬貨は島内に設けられた貨幣搬送装置により取り込まれて、島の端部に設けられた貨幣収納装置に搬送され、玉貸機は貸玉金額に応じたパチンコを供給し、玉貸機に対して投入された硬貨が不良硬貨である場合、硬貨は硬貨返却口へもたらされ、各玉貸機は搬送装置への取り込みを売上金額信号として中央コンピュータに出力するようにしたパチンコ遊技管理装置」
点で一致し、次の点で相違する。
イ．本件発明は、パチンコ玉をパチンコ機の玉受け皿に直接供給するものであるのに対し、刊行物１記載の発明は、その点が明らかでない点。
ロ．本件発明は、玉貸機に対して硬貨または紙幣が投入されるようになっているのに対し、刊行物１記載の発明は、硬貨を投入するようになっている点。
ハ．本件発明は、パチンコ玉供給設備が島のパチンコ玉供給設備であるのに対し、刊行物１記載の発明のものは、その点が明らかでない点。
ニ．本件発明は、パチンコ玉が玉貸機に供給されず、パチンコ玉センサによってパチンコ玉があることが検知されない場合、貨幣の返却が行われるようにしているのに対し、刊行物１に記載された発明は、硬貨の投入にかかわらず玉切れ表示ランプを表示するとともに貸玉放出動作を禁止し、貨幣は返却ボタンの操作により返却されるようになっている点。
５．判断
　上記相違点について検討する。
（１）相違点イについて
　刊行物２に記載されたパチンコ機１と玉貸機９は、上記３．（２）で指摘した事項からみて、１対１に対応しているといえるから、刊行物２には、パチンコ機１とパチンコ機と玉貸機を１対１で設けたものにおいて、貸玉供給口からのパチンコ玉を対応するパチンコ機の玉受皿に直接供給するようにした点が記載されている。
　そして、刊行物１に記載された発明も、上記したように、パチンコ機と玉貸機を１対１で設けたものであるから、刊行物１に記載された発明に刊行物２に記載された上記事項を採用して、相違点イであげた本件発明の構成のようにすることは、当業者であれば容易になし得ることである。
　また、このように、刊行物１に記載された発明に刊行物２に記載された事項を適用して貸玉供給口からのパチンコ玉を対応するパチンコ機の玉受皿に直接供給するようにすれば、各玉貸機からの売上金額信号は、当然、対応する個々のパチンコ機の売上として計上されることは明らかである。
（２）相違点ロについて
　刊行物３には、上記３．（３）で指摘した事項からみて、パチンコの玉貸機において、硬貨及び紙幣を投入できるようにし、硬貨または紙幣が正規の貨幣である場合、貨幣を取り込み、硬貨または紙幣が正規の貨幣でない場合、貨幣を返却するようにした点が記載されており、刊行物１に記載された発明において刊行物３に記載されたように硬貨または紙幣を投入できるようにして相違点ロであげた本件発明の構成のようにすることは、当業者であれば容易になし得ることである。
（３）相違点ハについて
　パチンコ遊戯施設において、島単位に玉供給設備を設けることは、従来周知（例えば、特開昭６１−１５４６８６号公報、実願昭５９−７５２１２号（実開昭６０−１８７７８３号）のマイクロフィルム参照。）のことであり、刊行物１に記載された発明の玉供給設備を本件発明のように島の玉供給設備とすることは、当業者であれば適宜なし得る設計的事項にすぎない。
（４）相違点ニについて
　刊行物４には、上記３．（４）で指摘した事項からみて、商品販売機の返金装置において、商品収納筒内に商品が存在しない場合、投入されたコインをそのまま返却するようにした点が記載されている。
　そして、刊行物１及び刊行物４に記載されたものは、供給される物品が存在しない場合、投入された硬貨を返却する手段を備えた点で技術を共通にするから、刊行物１記載の発明に刊行物４記載の上記技術を採用して、パチンコ玉センサによってパチンコ玉があることが検知されない場合貨幣を返却するようにして、上記相違点ニであげた本件発明の構成のようにすることは、当業者であれば容易に想到し得ることである。
（５）なお、本件発明の効果も、刊行物１乃至刊行物４に記載された事項並びに上記周知技術から予測できる程度のものであって格別のものではない。
（５）したがって、本件発明は、上記周知技術を参酌すれば、上記甲第１号証乃至甲第４号証に記載された発明に基づいて、当業者が容易に発明をすることができたものである。
６．むすび
　以上のとおりであるから、本件発明は、特許法第２９条第２項の規定により特許を受けることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。　
【異議決定日】
平成１２年１１月８日（２０００．１１．８）